(57)【要約】【課題】支持部に対する媒体の支持位置を好適にするとともに、支持部が重く嵩張った状態で印刷が行われることを抑制する。【解決手段】印刷装置１によって印刷が行われる媒体Ｍを支持する媒体支持ユニット２であって、媒体Ｍを支持し、印刷装置１に装着されることで、移動方向Ａに沿って、媒体Ｍがセットされるセット位置と、印刷部７による印刷が開始される印刷開始位置と、の間を移動可能な支持部４と、支持部４に対して取り付け及び取り外し可能に構成され、支持部４に取り付けられることで媒体Ｍにおけるセット位置にある支持部４からはみ出た部分を支持可能な補助支持部１３と、を備える媒体支持ユニット２。【選択図】図５
2019025669.tif 000002
【特許請求の範囲】
【請求項１】
印刷装置によって印刷が行われる媒体を支持する媒体支持ユニットであって、
前記媒体を支持し、前記印刷装置に装着されることで、移動方向に沿って、前記媒体がセットされるセット位置と、印刷部による印刷が開始される印刷開始位置と、の間を移動可能な支持部と、
前記支持部に対して取り付け及び取り外し可能に構成され、前記支持部に取り付けられることで前記媒体における前記セット位置にある前記支持部からはみ出た部分を支持可能な補助支持部と、
を備えることを特徴とする媒体支持ユニット。
【請求項２】
請求項１に記載の媒体支持ユニットにおいて、
前記補助支持部は、前記支持部に対する姿勢及び位置の少なくとも一方を変更して取り付け可能であることを特徴とする媒体支持ユニット。
【請求項３】
請求項１又は２に記載の媒体支持ユニットと、
前記支持部に支持される前記媒体に印刷を行う印刷部と、
を備えることを特徴とする印刷装置。
【請求項４】
媒体に印刷を行う印刷部と、
前記印刷部が設けられる本体部と、
前記媒体を支持し、移動方向に沿って、前記媒体がセットされるセット位置と、前記媒体に対して前記印刷部による印刷が開始される印刷開始位置と、の間を移動可能な支持部と、
前記本体部に設けられ、前記媒体における前記セット位置にある前記支持部からはみ出た部分を支持可能な補助支持部と、
を備えることを特徴とする印刷装置。
【請求項５】
請求項４に記載の印刷装置において、
前記補助支持部は、前記本体部に対して取り付け及び取り外し可能に構成されることを特徴とする印刷装置。
【請求項６】
請求項４に記載の印刷装置において、
前記補助支持部は、前記媒体における前記セット位置にある前記支持部からはみ出た部分を支持可能な支持位置と、前記支持位置よりも前記セット位置にある前記支持部から離れた退避位置と、に変位可能に構成されることを特徴とする印刷装置。
【請求項７】
請求項４から６のいずれか１項に記載の印刷装置において、
前記補助支持部は、前記セット位置にある前記支持部に対して姿勢及び位置の少なくとも一方を変更可能であることを特徴とする印刷装置。
【発明の詳細な説明】
【技術分野】
【０００１】
本発明は、媒体支持ユニット及び印刷装置に関する。
【背景技術】
【０００２】
従来から、様々な構成の印刷装置が使用されている。このような印刷装置のうち、例えば、支持部に支持された媒体に対して印刷を行うことが可能な印刷装置が使用されている。  
例えば、特許文献１には、基準部分と可動部分とを有する支持部に支持されたＴシャツ（媒体）に対して印刷を行うことが可能なインクジェット捺染装置（印刷装置）が開示されている。
【先行技術文献】
【特許文献】
【０００３】
【特許文献１】特開２０１３−２２８５８号公報
【発明の概要】
【発明が解決しようとする課題】
【０００４】
特許文献１に開示されるインクジェット捺染装置の支持部は、基準部分と可動部分とを有するので、媒体の形状に応じて支持部に対する媒体の支持位置を好適にすることができる。  
一方、装置の大型化を抑制したり、支持部の移動精度及び移動負荷を低減したりするため、支持部が重く嵩張った状態で印刷が行われることを抑制することが望まれている。
【０００５】
そこで、本発明は、支持部に対する媒体の支持位置を好適にするとともに、支持部が重く嵩張った状態で印刷が行われることを抑制することを目的にする。
【課題を解決するための手段】
【０００６】
上記課題を解決するための本発明の第１の態様の媒体支持ユニットは、印刷装置によって印刷が行われる媒体を支持する媒体支持ユニットであって、前記媒体を支持し、前記印刷装置に装着されることで、移動方向に沿って、前記媒体がセットされるセット位置と、印刷部による印刷が開始される印刷開始位置と、の間を移動可能な支持部と、前記支持部に対して取り付け及び取り外し可能に構成され、前記支持部に取り付けられることで前記媒体における前記セット位置にある前記支持部からはみ出た部分を支持可能な補助支持部と、を備えることを特徴とする。
【０００７】
本態様によれば、セット位置にある支持部からはみ出た部分を支持可能な補助支持部を備えるので、補助支持部に目盛などの印を付すことによって、支持部に対する媒体の支持位置を好適にすることができる。また、補助支持部は支持部に対して取り付け及び取り外し可能に構成されるので、印刷開始前に該補助支持部を取り外すことで、支持部が重く嵩張った状態で印刷が行われることを抑制することができる。
【０００８】
本発明の第２の態様の媒体支持ユニットは、前記第１の態様において、前記補助支持部は、前記支持部に対する姿勢及び位置の少なくとも一方を変更して取り付け可能であることを特徴とする。
【０００９】
本態様によれば、補助支持部は支持部に対する姿勢及び位置の少なくとも一方を変更して取り付け可能であるので、支持部に対する補助支持部の姿勢及び位置の少なくとも一方を調整することなどが可能になる。
【００１０】
本発明の第３の態様の印刷装置は、前記第１又は第２の態様の媒体支持ユニットと、前記支持部に支持される前記媒体に印刷を行う印刷部と、を備えることを特徴とする。
【００１１】
本態様によれば、支持部に対する媒体の支持位置を好適にして印刷することができるとともに、支持部が重く嵩張った状態で印刷が行われることを抑制することができる。
【００１２】
本発明の第４の態様の印刷装置は、媒体に印刷を行う印刷部と、前記印刷部が設けられる本体部と、前記媒体を支持し、移動方向に沿って、前記媒体がセットされるセット位置と、前記媒体に対して前記印刷部による印刷が開始される印刷開始位置と、の間を移動可能な支持部と、前記本体部に設けられ、前記媒体における前記セット位置にある前記支持部からはみ出た部分を支持可能な補助支持部と、を備えることを特徴とする。
【００１３】
本態様によれば、セット位置にある支持部からはみ出た部分を支持可能な補助支持部を備えるので、補助支持部に目盛などの印を付すことによって、支持部に対する媒体の支持位置を好適にすることができる。また、補助支持部は印刷装置の本体部に設けられるので、支持部が重く嵩張った状態となることを抑制でき、支持部が重く嵩張った状態で印刷が行われることを抑制することができる。
【００１４】
本発明の第５の態様の印刷装置は、前記第４の態様において、前記補助支持部は、前記本体部に対して取り付け及び取り外し可能に構成されることを特徴とする。
【００１５】
本態様によれば、補助支持部は本体部に対して取り付け及び取り外し可能に構成されるので、印刷開始前に該補助支持部を取り外すことで、補助支持部が印刷時やメンテナンス時などにおいて邪魔になることを抑制することができる。
【００１６】
本発明の第６の態様の印刷装置は、前記第４の態様において、前記補助支持部は、前記媒体における前記セット位置にある前記支持部からはみ出た部分を支持可能な支持位置と、前記支持位置よりも前記セット位置にある前記支持部から離れた退避位置と、に変位可能に構成されることを特徴とする。
【００１７】
本態様によれば、補助支持部は支持位置と退避位置とに変位可能に構成されるので、印刷開始前に該補助支持部を退避位置に退避させることで、補助支持部が印刷時やメンテナンス時などにおいて邪魔になることを抑制することができるほか、補助支持部の紛失を防止することができる。
【００１８】
本発明の第７の態様の印刷装置は、前記第４から第６のいずれか１つの態様において、前記補助支持部は、前記セット位置にある前記支持部に対して姿勢及び位置の少なくとも一方を変更可能であることを特徴とする。
【００１９】
本態様によれば、補助支持部はセット位置にある支持部に対して姿勢及び位置の少なくとも一方を変更可能であるので、支持部に対する補助支持部の姿勢及び位置の少なくとも一方を調整することなどが可能になる。
【図面の簡単な説明】
【００２０】
【図１】本発明の実施例１に係る印刷装置を表す概略斜視図。
【図２】本発明の実施例１に係る印刷装置を表す概略斜視図。
【図３】本発明の実施例１に係る印刷装置を表す概略正面図。
【図４】本発明の実施例１に係る印刷装置を表す概略平面図。
【図５】本発明の実施例１に係る印刷装置を表す概略平面図。
【図６】本発明の実施例１に係る印刷装置を表す概略平面図。
【図７】本発明の実施例１に係る印刷装置を表す概略平面図。
【図８】本発明の実施例２に係る印刷装置の要部を表す概略斜視図。
【図９】本発明の実施例３に係る印刷装置の要部を表す概略斜視図。
【図１０】本発明の実施例３に係る印刷装置を表す概略斜視図。
【図１１】本発明の実施例４に係る印刷装置の要部を表す概略斜視図。
【図１２】本発明の実施例５に係る印刷装置を表す概略平面図。
【図１３】本発明の実施例１〜５に係る印刷装置で使用可能な位置合わせ台の概略図。
【図１４】本発明の実施例６に係る印刷装置を表す概略斜視図。
【図１５】本発明の実施例７に係る印刷装置を表す概略斜視図。
【図１６】本発明の実施例７に係る印刷装置を表す概略斜視図。
【発明を実施するための形態】
【００２１】
以下に、本発明の一実施例に係る印刷装置１について、添付図面を参照して詳細に説明する。  
［実施例１］（図１〜図７）  
図１は本実施例に係る印刷装置１の概略斜視図であり、媒体支持ユニット２が印刷開始位置にある状態を表している。また、図２は本実施例に係る印刷装置１の概略斜視図であり、媒体支持ユニット２が媒体Ｍ（図６及び図７参照）のセット位置にある状態を表している。また、図３は本実施例の印刷装置１の概略正面図である。そして、図４は本実施例の印刷装置１の概略平面図であり、媒体支持ユニット２が媒体Ｍのセット位置にある状態を表している。なお、図１から図４のいずれも、一部の構成部材を簡略化して表している。
【００２２】
本実施例の印刷装置１は、媒体支持ユニット２を備えている。媒体支持ユニット２は、支持部としてのトレイ４を備えており、トレイ４は、媒体Ｍを支持する支持面８を有している。そして、媒体支持ユニット２は、媒体Ｍをトレイ４の支持面８で支持させて、トレイ４に支持された媒体Ｍを枠部１０によって押さえた状態で移動方向Ａに移動する。  
また、印刷装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。
【００２３】
また、媒体支持ユニット２はステージ５に着脱可能に載置されている。ここで、媒体支持ユニット２のステージ５に対する着脱方向Ｃは、本実施例の印刷装置１では鉛直方向である。媒体支持ユニット２は、レバー９を回転させることにより、ステージ５と共に着脱方向Ｃに沿う方向（鉛直方向）に移動する。なお、図２で表されるように、レバー９は、アーム部１１に設けられている。また、媒体Ｍとしては、テキスタイル（織物、布等）、紙、塩化ビニル樹脂など、種々の素材のものを用いることができる。
【００２４】
また、印刷装置１の本体内部には、液体の一例としてのインクを、不図示のノズルから吐出して、媒体Ｍに印刷を行う（画像を形成する）ことが可能な印刷部としての印刷ヘッド７が備えられている。そして、本実施例の印刷装置１は、印刷ヘッド７を保持するキャリッジ６を移動方向Ａと交差する走査方向Ｂに往復移動させることで、印刷ヘッド７を走査方向Ｂに往復移動させながら、印刷ヘッド７からトレイ４に支持された媒体Ｍにインクを吐出させて所望の画像を形成する。  
なお、本実施例の印刷装置１は、図１の手前側（左下方向）がトレイ４への媒体Ｍのセット位置である（図２及び図４参照）。そして、図１の奥側（右上方向）の吐出開始位置まで、移動方向Ａのうちの方向Ａ１に媒体Ｍをセットしたトレイ４を移動した後、移動方向Ａのうちの方向Ａ２にトレイ４を移動しながら印刷を行う。
【００２５】
次に、本実施例の印刷装置１の要部である媒体支持ユニット２について説明する。  
ここで、図５〜図７は、媒体支持ユニット２がセット位置にある状態であって、トレイ４に対して該トレイ４からはみ出た部分を支持可能な補助支持部１３を取り付けた状態を表す印刷装置１の概略平面図である。このうち、図５は、媒体支持ユニット２に媒体Ｍをセットしていない状態を表している。また、図６は、媒体支持ユニット２に媒体ＭとしてのＴシャツＭ１をセットした状態を表している。また、図７は、媒体支持ユニット２に媒体ＭとしてのタオルＭ２をセットした状態を表している。
【００２６】
本実施例のトレイ４は、走査方向Ｂにおける両側の側面部分に、図２で表されるような、補助支持部１３の第１嵌合部１２（凹状の第１嵌合部１２ａ）を備えている。また、図５で表されるように、補助支持部１３のうちの本実施例の補助支持部１３ａは、第１嵌合部１２に嵌合可能な第２嵌合部１４（凸状の第２嵌合部１４ａ）を備えている。そして、図５で表されるように、第１嵌合部１２に第２嵌合部１４を嵌合させて取り付けることで、補助支持部１３ａをトレイ４に取り付け可能となっている。
【００２７】
ここで、本実施例の媒体支持ユニット２は、凹状の第１嵌合部１２ａに対して凸状の第２嵌合部１４ａを差し込むことでトレイ４に対して補助支持部１３ａを取り付けることができ、凹状の第１嵌合部１２ａに対して凸状の第２嵌合部１４ａを引き抜くことでトレイ４に対して補助支持部１３ａを取り外すことができる構成になっている。また、各々の第１嵌合部１２ａは走査方向Ｂに沿う方向から見ると三角形をしており、各々の第２嵌合部１４ａも第１嵌合部１２ａの形状に対応して走査方向Ｂに沿う方向から見ると三角形（すなわち三角柱状）をしている。このため、トレイ４に対して補助支持部１３ａを表裏逆に付けてしまうことを抑制できるようになっている。  
なお、媒体Ｍのセット時には、図６及び図７で表されるように、トレイ４に対して補助支持部１３ａを取り付ける。そして、印刷時には、枠部１０をトレイ４に嵌めるとともにトレイ４から補助支持部１３ａを取り外し（媒体Ｍのトレイ４からはみ出た部分は下側に垂れ下がる）、印刷を開始する。
【００２８】
また、本実施例の媒体支持ユニット２は、矩形の１つのトレイ４に対して２つの矩形の補助支持部１３ａを取り付けることができる構成になっている。そして、図２及び図５で表されるように、１つの補助支持部１３ａに対して第２嵌合部１４ａは複数（２つ）設けられている。このため、トレイ４に対して補助支持部１３ａが不意に外れることや、力が１点に集中して第２嵌合部１４ａが破損することなどを抑制できる構成になっている。
【００２９】
ここで、一旦まとめると、本実施例の媒体支持ユニット２は、印刷装置１によって印刷が行われる媒体Ｍを支持する媒体支持ユニット２であって、媒体Ｍを支持し、印刷装置１に装着されることで、移動方向Ａに沿って、媒体Ｍがセットされるセット位置と、印刷ヘッド７による印刷が開始される印刷開始位置と、の間を移動可能なトレイ４と、を備えている。  
また、本実施例の媒体支持ユニット２は、トレイ４に対して取り付け及び取り外し可能に構成され、トレイ４に取り付けられることで媒体Ｍにおけるセット位置にあるトレイ４からはみ出た部分を支持可能な補助支持部１３と、を備えている。  
そして、本実施例の媒体支持ユニット２は、図５〜図７で表されるように補助支持部１３に印１７が付されており、図６及び図７で表されるように印１７を利用して媒体Ｍの位置合わせをすることにより、トレイ４に対する媒体Ｍの支持位置を好適にすることができる。また、補助支持部１３はトレイ４に対して取り付け及び取り外し可能に構成されるので、印刷開始前に該補助支持部１３を取り外すことで、トレイ４が重く嵩張った状態で印刷が行われることを抑制することができる。
【００３０】
別の表現をすると、本実施例の印刷装置１は、このような構成の媒体支持ユニット２と、トレイ４に支持される媒体Ｍに印刷を行う印刷ヘッド７と、を備えている。  
このため、本実施例の印刷装置１は、トレイ４に対する媒体Ｍの支持位置を好適にして印刷することができるとともに、トレイ４が重く嵩張った状態で印刷が行われることを抑制することができる構成になっている。
【００３１】
ここで、本実施例の補助支持部１３ａは、印１７として格子状の印１７ａが補助支持部１３ａ全体に形成されている。このため、本実施例の補助支持部１３ａを利用して、移動方向Ａに沿う方向、並びに、走査方向Ｂに沿う方向、の両方向の位置決めが好適にできるようになっている。しかしながら、印１７は、印１７ａのような構成に限定されない。  
以下に、印１７ａとは異なる印１７を有する補助支持部１３を備える媒体支持ユニット２（印刷装置１）の例について説明する。
【００３２】
［実施例２］（図８）  
図８は、本実施例の印刷装置１の媒体支持ユニット２の周辺を表す概略斜視図である（媒体支持ユニット２はセット位置にある状態）。なお、上記実施例１と共通する構成部材は同じ符号で示しており、詳細な説明は省略する。  
なお、本実施例の印刷装置１は、媒体支持ユニット２のトレイ４及び補助支持部１３の構成以外は、実施例１の印刷装置１と同様の構成である。
【００３３】
本実施例の媒体支持ユニット２も、実施例１の媒体支持ユニット２と同様、凹状の第１嵌合部１２ｂに対して凸状の第２嵌合部１４ｂを差し込むことでトレイ４に対して補助支持部１３ｂを取り付けることができ、凹状の第１嵌合部１２ｂに対して凸状の第２嵌合部１４ｂを引き抜くことでトレイ４に対して補助支持部１３ｂを取り外すことができる構成になっている。ただし、各々の第１嵌合部１２ｂは走査方向Ｂに沿う方向から見ると円形をしており、各々の第２嵌合部１４ｂも第１嵌合部１２ｂの形状に対応して走査方向Ｂに沿う方向から見ると円形（すなわち円柱状）をしている。このため、トレイ４に対して補助支持部１３ｂを表裏どちらの向きでも取り付けることができるようになっている。ここで、補助支持部１３ｂの一方の面には、印１７として実施例１の補助支持部１３ａと同様の格子状の印が形成されている。一方、補助支持部１３ｂの他方の面には、図８で表されるように、印１７として目盛１７ｂが形成されている。なお、第１嵌合部１２ｂ及び第２嵌合部１４ｂの形状を、走査方向Ｂから見て三角形となるように構成してもよく、このようにすれば、印１７が補助支持部１３ｂの片面にしか形成されていない場合などに、トレイ４に対して補助支持部１３ｂを表裏逆に付けてしまうことを抑制できる。
【００３４】
すなわち、本実施例の媒体支持ユニット２は、補助支持部１３は、トレイ４に対する姿勢を変更して取り付け可能である。このため、表と裏で異なる印１７が形成された補助支持部１３を表裏の向きを変えて取り付けることで、様々な種類の媒体Ｍの支持位置を好適にすることができる。  
なお、本実施例の補助支持部１３は、トレイ４に対する姿勢として、表裏を変更して取り付け可能な構成である。ただし、「トレイ４に対する姿勢」は、「補助支持部１３の表裏」に限定されず、例えば、トレイ４に対する取り付け角度などであってもよい。  
また、補助支持部１３を、トレイ４に対する位置が変更可能となるように構成してもよい。具体的には、補助支持部１３は、移動方向Ａ、走査方向Ｂ及び着脱方向Ｃのうちの少なくとも１つの方向における位置を変更可能であることが好ましい。移動方向Ａにおける補助支持部１３の位置の変更ができれば、媒体Ｍの幅などに応じて補助支持部１３の位置を調整することができる。また、走査方向Ｂにおける補助支持部１３の位置の変更ができれば、媒体Ｍにおけるトレイ４からはみ出た部分の位置などに応じて補助支持部１３の位置を調整することができる。また、着脱方向Ｃにおける補助支持部１３の位置の変更ができれば、媒体Ｍの厚さ等に合わせてトレイ４の着脱方向Ｃにおける位置が変更された場合でも、変更後のトレイ４の着脱方向Ｃにおける位置に合わせて補助支持部１３の位置を調整することができる。
【００３５】
上記についてまとめると、補助支持部１３は、トレイ４に対する姿勢及び位置の少なくとも一方を変更して取り付け可能な構成とすることが好ましい。補助支持部１３を、トレイ４に対する姿勢及び位置の少なくとも一方を変更して取り付け可能な構成とすることで、トレイ４に対する補助支持部１３の配置（例えば、移動方向Ａ、走査方向Ｂ及び着脱方向Ｃのうちの少なくとも１つの方向における位置）を変えることが可能になり、トレイ４に対する補助支持部１３の姿勢及び位置の少なくとも一方を調整することなども可能になる。
【００３６】
なお、実施例１及び実施例２の媒体支持ユニット２は、凹状の第１嵌合部１２に対して凸状の第２嵌合部１４を差し込む構成であるが、このような構成に限定されない。  
以下に、凹状の第１嵌合部１２に対して凸状の第２嵌合部１４を差し込む構成とは異なる構成の媒体支持ユニット２（印刷装置１）の例について説明する。
【００３７】
［実施例３］（図９及び図１０）  
図９は、本実施例の印刷装置１の媒体支持ユニット２の周辺を表す概略斜視図であり、実施例２の印刷装置１における図８に対応する図である。また、図１０は、本実施例の印刷装置１の正面側から見た概略斜視図である（媒体支持ユニット２はセット位置にある状態）。なお、上記実施例１及び実施例２と共通する構成部材は同じ符号で示しており、詳細な説明は省略する。  
なお、本実施例の印刷装置１は、トレイ４に形成された第１嵌合部１２及び補助支持部１３に形成された第２嵌合部１４以外は、実施例２の印刷装置１と同様の構成である。
【００３８】
本実施例の媒体支持ユニット２は、凸状の第１嵌合部１２ｃに対して凹状の第２嵌合部１４ｃを嵌め込むことでトレイ４に対して補助支持部１３ｃを取り付けることができ、凸状の第１嵌合部１２ｃに対して凹状の第２嵌合部１４ｃを引き抜くことでトレイ４に対して補助支持部１３ｃを取り外すことができる構成になっている。ただし、各々の第１嵌合部１２ｃは走査方向Ｂに沿う方向から見ると円形（すなわち円柱状）をしており、各々の第２嵌合部１４ｃも第１嵌合部１２ｃの形状に対応して走査方向Ｂに沿う方向から見ると円形をしている。このため、実施例２の媒体支持ユニット２と同様、トレイ４に対して補助支持部１３ｃを表裏どちらの向きでも取り付けることができるようになっている。ここで、実施例２の媒体支持ユニット２と同様、補助支持部１３ｃの一方の面には、印１７として実施例１の補助支持部１３ａと同様の格子状の印が形成されている。一方、補助支持部１３ｃの他方の面には、図９及び図１０で表されるように、印１７として目盛１７ｃが形成されている。なお、第１嵌合部１２ｃ及び第２嵌合部１４ｃの形状を、走査方向Ｂから見て三角形となるように構成してもよく、このようにすれば、印１７が補助支持部１３ｃの片面にしか形成されていない場合などに、トレイ４に対して補助支持部１３ｃを表裏逆に付けてしまうことを抑制できる。
【００３９】
なお、実施例１〜実施例３の媒体支持ユニット２は、トレイ４に対して補助支持部１３を走査方向Ｂに沿う方向に取り付け及び取り外しする構成であるが、このような構成に限定されない。  
以下に、トレイ４に対して補助支持部１３を移動方向Ａに沿う方向に取り付け及び取り外しする構成の媒体支持ユニット２（印刷装置１）の例について説明する。
【００４０】
［実施例４］（図１１）  
図１１は、本実施例の印刷装置１の媒体支持ユニット２の周辺を表す概略斜視図であり、実施例２の印刷装置１における図８及び実施例３の印刷装置１における図９に対応する図である。なお、上記実施例１〜実施例３と共通する構成部材は同じ符号で示しており、詳細な説明は省略する。  
なお、本実施例の印刷装置１は、媒体支持ユニット２のトレイ４及び補助支持部１３の構成以外は、実施例１〜実施例３の印刷装置１と同様の構成である。
【００４１】
本実施例の媒体支持ユニット２のトレイ４の走査方向Ｂにおける両側端部には、移動方向Ａに沿って延びるレール状の第１嵌合部１２（第１嵌合部１２ｄ）が形成されている。第１嵌合部１２ｄは、図１１に示すように、移動方向Ａから見た場合の断面の形状がＴ字形となっている。言い換えれば、第１嵌合部１２ｄは、着脱方向Ｃにおける一方側と他方側とのそれぞれに突出する２つの突出部が形成されている。また、本実施例の補助支持部１３ｄは、上面に印１７としての目盛１７ｄが形成されているとともに、第１嵌合部１２ｄに対して移動方向Ａに沿う方向Ａ１に挿入可能な第２嵌合部１４ｄが形成されている。すなわち、本実施例の媒体支持ユニット２は、移動方向Ａに沿って延びるレール状の第１嵌合部１２ｄに対して第２嵌合部１４ｄを方向Ａ１に移動して挿入することで、トレイ４に対して補助支持部１３ｄを取り付けることができ、第１嵌合部１２ｄに対して第２嵌合部１４ｄを方向Ａ２に移動して引き抜くことで、トレイ４に対して補助支持部１３ｄを取り外すことができる構成になっている。
【００４２】
なお、実施例１〜実施例４の媒体支持ユニット２は、トレイ４に対して複数（２つ）の補助支持部１３を取り付け及び取り外しする構成であるが、このような構成に限定されない。  
以下に、トレイ４に対して単数（１つ）の補助支持部１３を取り付け及び取り外しする構成の媒体支持ユニット２（印刷装置１）の例について説明する。
【００４３】
［実施例５］（図１２）  
図１２は、本実施例の印刷装置１の概略平面図であり、実施例１の印刷装置１における図５に対応する図である。なお、上記実施例１〜実施例４と共通する構成部材は同じ符号で示しており、詳細な説明は省略する。  
なお、本実施例の印刷装置１は、媒体支持ユニット２のトレイ４及び補助支持部１３の構成以外は、実施例１〜実施例４の印刷装置１と同様の構成である。
【００４４】
本実施例の媒体支持ユニット２のトレイ４の走査方向Ｂにおける両側端部には、実施例４の媒体支持ユニット２のトレイ４と同様、実施例４のトレイ４の第１嵌合部１２ｄと同じ位置に、移動方向Ａに沿って延びるレール状の第１嵌合部１２（不図示）が形成されている。また、本実施例の補助支持部１３ｅは、平面視で略Ｕ字状である。言い換えれば、補助支持部１３ｅは、トレイ４の走査方向Ｂにおける両側の辺と、トレイ４の移動方向Ａにおける一方の辺（方向Ａ２側の辺）と、に対して隣接するような面を有する形状となっている。また、補助支持部１３ｅは、上面に印１７としての格子状の印１７ｅが形成されているとともに、第１嵌合部１２に対応する位置に、第１嵌合部１２に対して移動方向Ａに沿う方向Ａ１に挿入可能な不図示の第２嵌合部１４が形成されている。
【００４５】
なお、上記実施例１〜実施例５の印刷装置１を使用する際において、トレイ４に対して補助支持部１３を取り付け及び取り外しする際、図１３で表されるような位置合わせ台１９を使用することができる。位置合わせ台１９を使用することで、トレイ４に対して補助支持部１３を取り付け及び取り外しすることが容易となる。  
ここで、図１３で表されるように、本実施例の位置合わせ台１９は、トレイ４を支持可能な支持台２０と、位置合わせ台１９を水平方向に可動させるためのローラー２１を有する脚部２２と、を備え、脚部２２に対して支持台２０を着脱方向Ｃに沿って移動可能な構成になっている。脚部２２に対して支持台２０を着脱方向Ｃに沿って移動可能な構成として、例えば、エアサスペンション構成を用いることができるが、油圧式のシリンダーなど、他の構成を用いてもよい。  
ただし、位置合わせ台１９の構成に特に限定は無く、例えば、位置合わせ台１９が印刷装置１に取り付けられる構成としてもよいし、さらには、位置合わせ台１９を有していなくてもよい。
【００４６】
上記実施例１〜実施例５の印刷装置１は、トレイ４に対して補助支持部１３を取り付け及び取り外しする構成であるが、このような構成に限定されない。  
以下に、印刷装置１の本体部１８（図１４〜図１６参照）に対して補助支持部１３を取り付け及び取り外しする構成の印刷装置１の例について説明する。
【００４７】
［実施例６］（図１４）  
図１４は、本実施例の印刷装置１の概略斜視図であり、実施例３の印刷装置１における図１０に対応する図である。なお、上記実施例１〜実施例５と共通する構成部材は同じ符号で示しており、詳細な説明は省略する。  
なお、本実施例の印刷装置１は、媒体支持ユニット２のトレイ４、補助支持部１３及び該補助支持部１３の取付け部１５の構成以外は、実施例１〜実施例５の印刷装置１と同様の構成である。
【００４８】
本実施例の印刷装置１は、印刷装置１の本体部１８に形成された凸状の第１嵌合部１２（第１嵌合部１２ｆ）と、補助支持部１３（補助支持部１３ｆ）に形成された凹状の第２嵌合部１４（第２嵌合部１４ｆ）と、で構成された取付け部１５（取付け部１５ｆ）を備えている。そして、第１嵌合部１２ｆに第２嵌合部１４ｆを嵌合させることにより本体部１８に補助支持部１３を取り付けることができ、第１嵌合部１２ｆから第２嵌合部１４ｆを引き抜くことにより本体部１８に補助支持部１３を取り外すことができる構成になっている。なお、本体部１８は、印刷装置１の筐体部に相当するものである。
【００４９】
まとめると、本実施例の印刷装置１は、実施例１〜実施例５の印刷装置１と同様、媒体Ｍに印刷を行う印刷ヘッド７と、印刷ヘッド７が設けられる本体部１８と、媒体Ｍを支持し、移動方向Ａに沿って、媒体Ｍがセットされるセット位置と、媒体Ｍに対して印刷ヘッド７による印刷が開始される印刷開始位置と、の間を移動可能なトレイ４と、を備えている。なお、トレイ４は、移動方向Ａに移動する際、本体部１８に対して相対的に移動するように構成されている。言い換えれば、トレイ４が移動方向Ａに移動するとき、本体部１８はトレイ４と共には移動しないように構成されている。  
そして、本体部１８に設けられ、媒体Ｍにおけるセット位置にあるトレイ４からはみ出た部分を支持可能な補助支持部１３を備えている。  
このように、本実施例の印刷装置１は、媒体Ｍにおけるセット位置にあるトレイ４からはみ出た部分を支持可能な補助支持部１３を備えるので、補助支持部１３に目盛１７ｆなどの印１７を付していることによって、トレイ４に対する媒体Ｍの支持位置を好適にすることができる構成になっている。また、補助支持部１３は印刷装置１の本体部１８に設けられるので、本実施例の印刷装置１は、トレイ４が重く嵩張った状態となることを抑制でき、トレイ４が重く嵩張った状態で印刷が行われることを抑制することができる構成になっている。
【００５０】
また、本実施例の補助支持部１３ｆは、本体部１８に対して取り付け及び取り外し可能に構成されているので、印刷開始前に該補助支持部１３ｆを取り外すことで、補助支持部１３ｆが印刷時やメンテナンス時などにおいて邪魔になることを抑制することができる。  
なお、「メンテナンス時」とは、例えば、印刷ヘッド７のクリーニング時、印刷ヘッド７の交換時、及びインクの収容容器の交換時などが挙げられるが、印刷装置１のメンテナンスに係わる作業時であればよく、特に限定は無い。
【００５１】
また、補助支持部１３を、トレイ４に対する位置が変更可能となるように構成してもよい。具体的には、補助支持部１３は、移動方向Ａ、走査方向Ｂ及び着脱方向Ｃのうちの少なくとも１つの方向における位置を変更可能であることが好ましい。移動方向Ａにおける補助支持部１３の位置の変更ができれば、媒体Ｍの幅などに応じて補助支持部１３の位置を調整することができる。また、走査方向Ｂにおける補助支持部１３の位置の変更ができれば、媒体Ｍにおけるトレイ４からはみ出た部分の位置などに応じて補助支持部１３の位置を調整することができる。また、着脱方向Ｃにおける補助支持部１３の位置の変更ができれば、媒体Ｍの厚さ等に合わせてトレイ４の着脱方向Ｃにおける位置が変更された場合でも、変更後のトレイ４の着脱方向Ｃにおける位置に合わせて補助支持部１３の位置を調整することができる。  
また、補助支持部１３を、トレイ４に対する姿勢が変更可能となるように構成してもよい。「トレイ４に対する姿勢」は、例えば、トレイ４に対する取り付け角度などである。  
上記についてまとめると、補助支持部１３は、トレイ４に対する姿勢及び位置の少なくとも一方を変更して取り付け可能な構成とすることが好ましい。補助支持部１３を、トレイ４に対する姿勢及び位置の少なくとも一方を変更して取り付け可能な構成とすることで、トレイ４に対する補助支持部１３の配置（例えば、移動方向Ａ、走査方向Ｂ及び着脱方向Ｃのうちの少なくとも１つの方向における位置）を変えることが可能になり、トレイ４に対する補助支持部１３の姿勢及び位置の少なくとも一方を調整することなども可能になる。
【００５２】
上記実施例６の印刷装置１は、補助支持部１３が本体部１８に対して取り付け及び取り外し可能に構成されているが、このような構成に限定されない。  
以下に、補助支持部１３が本体部１８に対して取り付け及び取り外しできる構成ではない構成の印刷装置１の例について説明する。
【００５３】
［実施例７］（図１５及び図１６）  
図１５及び図１６は、側面側から見た本実施例の印刷装置１の概略斜視図である（媒体支持ユニット２はセット位置にある状態）。このうち図１５は補助支持部１３（補助支持部１３ｇ）がトレイ４の周辺（媒体Ｍのトレイ４からはみ出た部分を支持可能な支持位置）に位置している状態、図１６は補助支持部１３（補助支持部１３ｇ）がトレイ４の周辺から退避している状態、を表している。なお、上記実施例１〜実施例６と共通する構成部材は同じ符号で示しており、詳細な説明は省略する。  
なお、本実施例の印刷装置１は、媒体支持ユニット２のトレイ４、補助支持部１３及び該補助支持部１３の取付け部１５の構成以外は、実施例１〜実施例６の印刷装置１と同様の構成である。
【００５４】
本実施例の印刷装置１においては、目盛１７ｇが形成された補助支持部１３（補助支持部１３ｇ）が、取付け部１５（取付け部１５ｇ）によって本体部１８に取り付けられている。詳細には、補助支持部１３ｇは、アーム部１６及び取付け部１５ｇを介して本体部１８取り付けられており、取付け部１５ｇを基準（支点）に回転方向Ｄに回転することにより、図１５で表される支持位置と図１６で表される退避位置と、に移動可能になっている。
【００５５】
すなわち、本実施例の補助支持部１３ｇは、媒体Ｍにおけるセット位置にあるトレイ４からはみ出た部分を支持可能な支持位置（図１５参照）と、支持位置よりもセット位置にあるトレイ４から離れた退避位置（図１６参照）と、に変位可能に構成されている。  
このため、本実施例の印刷装置１は、印刷開始前に該補助支持部１３ｇを退避位置に退避させることで、補助支持部１３ｇが印刷時やメンテナンス時などにおいて邪魔になることを抑制することができる。また、補助支持部１３ｇを退避させる際に取り外さない構成とすることで、該補助支持部１３ｇの紛失を防止することができる構成になっている。
【００５６】
別の表現をすると、本実施例の補助支持部１３ｇは、セット位置にあるトレイ４に対して姿勢及び位置の少なくとも一方を変更可能である。このような構成とすることで、印刷装置１のメンテナンス作業時などにおいて補助支持部１３ｇが邪魔にならないようにする（退避位置に退避させる）ことができる。
【００５７】
なお、本発明は上記実施例に限定されることなく、特許請求の範囲に記載した発明の範囲内で種々の変形が可能であり、それらも本発明の範囲内に含まれることは言うまでもない。  
例えば、補助支持部１３の構成を、図１３で表される位置合わせ台１９のような構成（印１７を有し媒体Ｍを支持可能な支持台と、該支持台を可動させるためのローラーを有する脚部と、を備え、該脚部に対して該支持台を着脱方向Ｃに沿って移動可能な構成）などとしてもよい。このような、補助支持部１３が、セット位置にあるトレイ４に対して姿勢及び位置の少なくとも一方を変更可能な構成とすることで、トレイ４に対する補助支持部１３の姿勢及び位置の少なくとも一方（例えば、移動方向Ａ、走査方向Ｂ及び着脱方向Ｃのうちの少なくとも１つの方向における位置）を調整することなどが可能になる。
【符号の説明】
【００５８】
１…印刷装置、２…媒体支持ユニット、３…媒体搬送部、４…トレイ（支持部）、
５…ステージ、６…キャリッジ、７…印刷ヘッド（印刷部）、８…支持面、
９…レバー、１０…枠部、１１…アーム部、１２…第１嵌合部、１２ａ…第１嵌合部、
１２ｂ…第１嵌合部、１２ｃ…第１嵌合部、１２ｄ…第１嵌合部、
１２ｆ…第１嵌合部、１３…補助支持部、１３ａ…補助支持部、１３ｂ…補助支持部、
１３ｃ…補助支持部、１３ｄ…補助支持部、１３ｅ…補助支持部、
１３ｆ…補助支持部、１３ｇ…補助支持部、１４…第２嵌合部、１４ａ…第２嵌合部、
１４ｂ…第２嵌合部、１４ｃ…第２嵌合部、１４ｄ…第２嵌合部、
１４ｆ…第２嵌合部、１５…取付け部、１５ｆ…取付け部、１５ｇ…取付け部、
１６…アーム部、１７…印、１７ａ…格子状の印、１７ｂ…目盛、１７ｃ…目盛、
１７ｄ…目盛、１７ｅ…格子状の印、１７ｆ…目盛、１７ｇ…目盛、１８…本体部、
１９…位置合わせ台、２０…支持台、２１…ローラー、２２…脚部、Ｍ…媒体、
Ｍ１…Ｔシャツ、Ｍ２…タオル
【図１】
2019025669.tif 000003
【図２】
2019025669.tif 000004
【図３】
2019025669.tif 000005
【図４】
2019025669.tif 000006
【図５】
2019025669.tif 000007
【図６】
2019025669.tif 000008
【図７】
2019025669.tif 000009
【図８】
2019025669.tif 000010
【図９】
2019025669.tif 000011
【図１０】
2019025669.tif 000012
【図１１】
2019025669.tif 000013
【図１２】
2019025669.tif 000014
【図１３】
2019025669.tif 000015
【図１４】
2019025669.tif 000016
【図１５】
2019025669.tif 000017
【図１６】
2019025669.tif 000018